(57)【要約】【課題】  垂直度や基礎コンクリートに対する整列度が確実に確保できる支持用金具を提供する。【解決手段】  支持用金具１５はインサート２４を中心として構成され、これに螺合して嵌合する調整ボルト２５と、インサート２４の底面に接続されたアンカー２６とから構成されている。インサート２４は、その内面が雌ネジ２８が形成された胴部３０と、胴部３０の上端に接続され外方に伸びるフランジ３１とから構成される。調整ボルト２５は、雌ネジ２８に螺合する雄ネジ２９が形成された胴部３４と、胴部３４の上端に接続された頭部３２と、頭部３２の上面に取付けられた球冠状突起体３３とから構成されている。アンカー２６は断面が円形の棒形状を有しており、支持基盤上に基礎砕石が布設された段階でアンカー２６を支持基盤に打ち込むことによって支持用金具１５を固定し、その段階で垂直度及び水平度を調整した後、基礎コンクリートを打設する。【選択図】      図２
2005105729.tif 000002
【特許請求の範囲】
【請求項１】
基礎コンクリートに埋め込まれ、その上方に配置されるコンクリートブロックを支持して高さ調整をするための支持用金具であって、
その内部に雌ネジが形成された筒状のインサートと、
前記雌ネジにその胴部の雄ネジが螺合し、前記インサートの上面からの突出し長さを調整できる調整ボルトと、
前記インサートの下面に接続され、前記インサートの軸方向と同方向に少なくとも前記基礎コンクリートの厚さを超えるように伸びる棒状のアンカーとを備えた、支持用金具。
【請求項２】
前記アンカーは、前記インサートに溶接にて固定された、請求項１記載の支持用金具。
【請求項３】
前記インサートはその軸方向の少なくとも両端部側に雌ネジが形成されており、
前記アンカーの上端部側に雄ネジが形成されており、
前記インサートと前記アンカーとは脱着自在に螺合接続する、請求項１記載の支持用金具。
【請求項４】
前記調整ボルトの頭部には、その軸方向に伸びる筒状の穴が形成され、
前記穴に摺動自在に嵌合するとともに、水糸を係止することができる棒体を備えた水糸固定具を更に備えた、請求項１から請求項３のいずれかに記載の支持用金具。
【請求項５】
前記調整ボルトの頭部には、球冠状突起体が形成される、請求項１から請求項３のいずれかに記載の支持用金具。
【請求項６】
請求項１記載の支持用金具の設置方法であって、
支持基盤の上に基礎砕石を布設する工程と、
前記支持用金具の前記アンカーを少なくとも前記基礎砕石に貫入させ、前記支持用金具をその取付け状態を調整して固定させる工程と、
前記固定された前記支持用金具の前記インサートの上端まで、前記基礎砕石上に基礎コンクリートを打設する工程とを備えた、支持用金具の設置方法。
【請求項７】
少なくとも２個の請求項４記載の第１の支持用金具と請求項１記載の第２の支持用金具とを用いて行う支持用金具の高さ調整方法であって、
前記第１の支持用金具を離した状態で設置すると共に、これらの間に前記第２の支持用金具を設置する工程と、
前記設置された第１の支持用金具の各々を架け渡すように水糸を緊張状態に取付ける工程と、
前記取付けられた水糸を基準として、前記水糸に隣接する前記第２の支持用金具の調整ボルトの高さを調整する工程とを備えた、支持用金具の高さ調整方法。
【請求項８】
請求項４記載の支持用金具を少なくとも４個用いて行うモルタルの敷き均し方法であって、
前記支持用金具の各々を基礎コンクリートに対してほぼ矩形形状の四隅に配置するとともに、各々の調整ボルトの頭部が前記基礎コンクリートの上面から一定の距離になるように前記基礎コンクリートに固定する工程と、
隣接する２個の前記支持用金具同志を架け渡して水糸をほぼ２本平行状態となるように緊張状態に取付ける工程と、
前記水糸の各々に平行に沿うようにし、且つ、その上面の高さが前記水糸の高さに合致するように一対の定規棒を前記基礎コンクリート上に配置する工程と、
前記基礎コンクリート上であって、前記定規棒の各々の間にモルタルを前記定規棒の前記上面よりやや高くなるように布設する工程と、
前記定規棒の前記上面に架け渡すように均し棒を配置し、これを移動させることによって前記モルタルを敷き均す工程とを備えた、モルタルの敷き均し方法。
【発明の詳細な説明】
【技術分野】
【０００１】
この発明は支持用金具等に関し、特にプレキャストコンクリートブロックの支持及び高さ調整に用いられる支持用金具、支持用金具の設置方法、支持用金具の高さ調整方法及びモルタルの敷き均し方法に関するものである。
【背景技術】
【０００２】
図９は従来のコンクリートブロックの設置状態を示した概略断面図であり、図１０は図９で示された支持用金具の概略構造を示す拡大断面図である。
これらの図を参照して、支持基盤１７の上に基礎砕石１８が布設され、更にその上に基礎コンクリート１９が打設されている。そして基礎コンクリート１９の上方部分には、コンクリートブロック２２の設置時の高さ調整を行うための支持用金具６１ａ，支持用金具６１ｂが埋め込まれている。基礎コンクリート１９の上面とコンクリートブロック２２の下面の間には均しモルタル２０が全面に布設されている。
【０００３】
支持用金具６１は図１０に示されているように、内面に雌ネジが形成されたインサート６４と、インサート６４の内面に螺合する調整ボルト６３とから構成されている。従って調整ボルト６３のインサート６４に対する螺合の程度を調整することによって調整ボルト６３のインサート６４からの上下方向への突出し長さを調整することが可能となる。
【０００４】
使用時にあっては、基礎コンクリート１９に埋め込まれた支持用金具６１の調整ボルト６３の頭部のレベルを、丁張り等によって準備された水糸を基準に所定の高さとなるように調整する。そして調整ボルト６３の調整が終了した後、調整ボルト６３の頭部の高さに合致するように均しモルタル２０を敷き均す。そして、これらの上にコンクリートブロック２２をクレーン等を用いて吊り下ろすことによって、コンクリートブロック２２の設置が終了する。このようにして支持用金具６１の水平レベルが前もって調整されているため、コンクリートブロック２２は所望の状態で基礎コンクリート１９上に設置されることになる。
【発明の開示】
【発明が解決しようとする課題】
【０００５】
上記のような従来の支持用金具にあっては、支持用金具６１の基礎コンクリート１９への埋め込み状態、すなわち支持用金具６１の垂直度や基礎コンクリート１９の表面に対する整列度が重要である。しかし、従来の支持用金具にあっては、これらを精度良く設置することは容易ではなかった。
図１１はこの問題を説明するための支持用金具の取付け方法を説明するための概略工程図である。
【０００６】
その（１）に示されているように、支持基盤１７が整備された後、その上に所定厚さの基礎砕石１８が布設され転圧される。そして更にその（２）に示されているように基礎砕石１８の上面に基礎コンクリート１９を所定厚さ打設する。そして基礎コンクリート１９が乾燥する前に、その（３）に示されているように支持用金具６１ａ，支持用金具６１ｂを基礎コンクリート１９に埋め込むように取付ける。この時丁張りによって張られた水糸６６を基準に、支持用金具６１の基礎コンクリート１９に対する埋め込み程度を調整する。この状態で基礎コンクリート１９が乾燥することによって、支持用金具６１の基礎コンクリート１９への固定作業が終了する。
【０００７】
しかしこのような方法にあっては、基礎コンクリート１９が硬化する前に支持用金具６１を埋め込む必要があるため、正確な支持用金具６１の垂直度を確保することは困難である。又、基礎コンクリート１９に対する支持用金具６１の上下方向の位置にしても、その自重で沈みやすい状態で取付けるため、水糸６６を基準としても正確に取付けることはやはり困難である。その結果、コンクリートブロック２２に対して精度良く支持することは困難となり、コンクリートブロック２２の支持状態の信頼性を低下させることになる。
【０００８】
又、支持用金具６１が基礎コンクリート１９に対して精度良く取付けられないと、基礎コンクリート１９上に布設される均しモルタル２０の敷き均し作業にも手間が掛かってしまい、全体の作業効率を低下する虞もある。
【０００９】
尚、上記の方法に代えて基礎コンクリートの硬化後にインサートの取付け用の穴をドリル等で形成する方法があるが、この方法では基礎コンクリートの表面に対する垂直度や深さを正確に確保できないため、やはり支持用金具を精度良く取付けることはできない。
【００１０】
この発明は上記のような課題を解決するためになされたもので、垂直度や基礎コンクリートに対する整列度が確実に確保できる支持用金具等を提供することを目的とする。
【００１１】
又、この発明は、支持用金具の設置に伴うモルタルの敷き均しを容易にするモルタルの敷き均し方法を提供することを目的とする。
【課題を解決するための手段】
【００１２】
上記の目的を達成するために、請求項１記載の発明は、基礎コンクリートに埋め込まれ、その上方に配置されるコンクリートブロックに対して高さ調整をするための支持用金具であって、その内部に雌ネジが形成された筒状のインサートと、雌ネジにその胴部の雄ネジが螺合しインサートの上面からの突出し長さを調整できる調整ボルトと、インサートの下面に接続され、インサートの軸方向と同方向に少なくとも基礎コンクリートの厚さを超えるように伸びる棒状のアンカーとを備えたものである。
【００１３】
このように構成すると、基礎コンクリートの打設前にアンカーを用いて支持用金具を固定することができる。
【００１４】
請求項２記載の発明は、請求項１記載の発明の構成において、アンカーはインサートに溶接にて固定されるものである。
【００１５】
このように構成すると、アンカーはインサートに一体化される。
【００１６】
請求項３記載の発明は、請求項１記載の発明の構成において、インサートはその軸方向の少なくとも両端部側に雄ネジが形成されており、アンカーの上端部側に雄ネジが形成されており、インサートとアンカーとは脱着自在に螺合接続するものである。
【００１７】
このように構成すると、アンカーはインサートに対して脱着自在となる。
【００１８】
請求項４記載の発明は、請求項１から請求項３のいずれかに記載の発明の構成において、調整ボルトの頭部には、その軸方向に伸びる筒状の穴が形成され、穴に摺動自在に勘合するとともに、水糸を係止することができる棒体を備えた水糸固定具を更に備えたものである。
【００１９】
このように構成すると、水糸は調整ボルトの頭部から架け渡される。
【００２０】
請求項５記載の発明は、請求項１から請求項３のいずれかに記載の発明の構成において、調整ボルトの頭部には球冠状突起体が形成されるものである。
【００２１】
このように構成すると、調整ボルトは球冠状突起体の一点を介してコンクリートブロックに接触する。
【００２２】
請求項６記載の発明は、請求項１記載の支持用金具の設置方法であって、支持基盤の上に基礎砕石を布設する工程と、支持用金具のアンカーを少なくとも基礎砕石を貫入させ、支持用金具をその取付け状態を調整して固定させる工程と、固定された支持用金具のインサートの上端まで基礎砕石上に基礎コンクリートを打設する工程とを備えたものである。
【００２３】
このように構成すると、基礎コンクリートの打設前に支持用金具は固定される。
【００２４】
請求項７記載の発明は、少なくとも２個の請求項４記載の第１の支持用金具と請求項１記載の第２の支持用金具とを用いて行う支持用金具の高さ調整方法であって、第１の支持用金具を離した状態で設置すると共に、これらの間に第２の支持用金具を設置する工程と、設置された第１の支持用金具の各々を架け渡すように水糸を緊張状態に取付ける工程と、取付けられた水糸を基準として水糸に隣接する第２の支持用金具の調整ボルトの高さを調整する工程を備えたものである。
【００２５】
このように構成すると、第１の支持用金具に架け渡された水糸を基準に第２の支持用金具の高さが調整される。
【００２６】
請求項８記載の発明は、請求項４記載の支持用金具を少なくとも４個用いて行うモルタルの敷き均し方法であって、支持用金具の各々を基礎コンクリートに対してほぼ矩形形状の四隅に配置するとともに、各々の調整ボルトの頭部は基礎コンクリートの上面から一定の距離となるように基礎コンクリートに固定する工程と、隣接する２個の支持用金具同志を架け渡して水糸を２本ほぼ平行状態となるように緊張状態に取付ける工程と、水糸の各々に平行に沿うようにし、且つ、その上面の高さが水糸の高さに合致するように一対の定規棒を基礎コンクリート上に配置する工程と、基礎コンクリート上であって、定規棒の各々の間にモルタルを定規棒の上面よりやや高くなるように布設する工程と、定規棒の上面に架け渡すように均し棒を配置し、これを移動させることによってモルタルを敷き均す工程とを備えたものである。
【００２７】
このように構成すると、支持用金具を架け渡す水糸を基準として、モルタルの敷き均しのための定規棒の上面高さが設定される。
【発明の効果】
【００２８】
以上説明したように、請求項１記載の発明は、基礎コンクリートの打設前にアンカーを用いて固定することができるため、取付けが容易となるとともに取付け状態が基礎コンクリートの硬化に影響されない。
【００２９】
請求項２記載の発明は、請求項１記載の発明の効果に加えて、アンカーはインサートに一体化されるため、支持用金具の組立てが容易となる。
【００３０】
請求項３記載の発明は、請求項１記載の発明の効果に加えて、アンカーはインサートに対して脱着自在となるため、インサートに歪みを与える虞はなく、又、アンカーを分離できるため運搬保管が容易となる。
【００３１】
更に、アンカーの長さを地盤に応じたものに容易に交換することが可能となる。
【００３２】
請求項４記載の発明は、請求項１から請求項３のいずれかに記載の発明の効果に加えて、水糸は調整ボルトの頭部から架け渡されるため、調整ボルトの高さ調整が水糸を用いて容易に可能となる。
【００３３】
請求項５記載の発明は、請求項１から請求項３のいずれかに記載の発明の効果に加えて、調整ボルトは球冠状突起体の一点でコンクリートブロックに接触するため、調整ボルトの垂直度に関わらず安定した状態でコンクリートブロックを支持することができる。
【００３４】
請求項６記載の発明は、支持用金具は基礎コンクリートの打設前に固定されるため、基礎コンクリートの打設に影響されることなく精度の高い支持用金具の取付けが可能となる。
【００３５】
請求項７記載の発明は、第１の支持用金具に架け渡された水糸を基準に第２の支持用金具の高さが調整されるため、他の調整器具を別途必要とせずに効率的な支持用金具の高さ調整が可能となる。
【００３６】
請求項８記載の発明は、支持用金具を架け渡す水糸を基準として定規棒の上面高さが設定されるため、他の敷き均し用の器具を必要とせずに効率的なモルタルの敷き均しが可能となる。
【発明を実施するための最良の形態】
【００３７】
図１はこの発明の第１の形態による支持用金具の取付け状態を示した概略断面図であり、図２は図１で示した支持用金具の構成を示す分解斜視図であり、図３は組立てた状態の支持用金具の概略断面図である。
【００３８】
支持用金具１５はインサート２４を中心として構成され、これに螺合する調整ボルト２５と、インサート２４の下面に接続されるアンカー２６とから構成されている。インサート２４は、その内部に雌ネジ２８が形成されている胴部３０と、胴部３０の上端に接続され外方に伸びるフランジ３１とから構成されている。
【００３９】
調整ボルト２５はインサート２４の胴部３０に形成されている雌ネジ２８に螺合する雄ネジ２９が形成された胴部３４と、胴部３４の上方に接続された六角柱状の頭部３２と、頭部３２の上面に形成された球冠状突起体３３とから構成されている。アンカー２６は断面が円形の棒形状を有しており、その下方端は先細りの円錐形状となり、その上端はインサート２４の下面に溶接にて固定されている。
【００４０】
図３に示されているように、調整ボルト２５のインサート２４に対する螺合程度を調整することによって、調整ボルト２５のインサート２４からの上下方向の突き出し程度を調整することが可能である。又、調整ボルト２５の頭部３２の上面には球冠状突起体３３が形成されているため、コンクリートブロック２２の下面は球冠状突起体３３に対して一点で接触することになる。したがって、調整ボルト２５の垂直度が若干ずれていた場合であっても、球冠状突起体３３は常に一点でコンクリートブロック２２を支持することになり支持状態が安定する。
【００４１】
ここで図１に戻って、支持用金具１５ａ，支持用金具１５ｂの各々のインサート２４は、その上面が基礎コンクリート１９の上面に整列するように埋め込まれており、各々のアンカー２６は、基礎コンクリート１９及び基礎砕石１８を貫通して支持基盤１７の内部に到達するように取付けられている。又、支持用金具１５ａ，支持用金具１５ｂの調整ボルト２５の上面と、インサート２４の上面すなわち基礎コンクリート１９の上面との間には均しモルタル２０が全面的に布設されている。このようにしてこの発明の第１の実施の形態による支持用金具１５ａ，支持用金具１５ｂによって、プレキャストコンクリートブロックの１つであるボックスカルバートのコンクリートブロック２２が、支持用金具１５ａ，支持用金具１５ｂによって支持されることになる。
【００４２】
図４は図１で示した支持用金具の取付方法を説明するための概略工程図である。
【００４３】
その（１）に示されているように、整備された支持基盤１７の上に所定厚さの基礎砕石１８が布設され転圧される。
【００４４】
次にその（２）に示されているように、支持用金具１５ａ，支持用金具１５ｂをその各々のアンカー２６ａ，アンカー２６ｂを用いて基礎砕石１８を貫通させるようにして支持基盤１７に打ち込んで、支持用金具１５を固定する。この打ち込みの際には、丁張り等によって緊張された水糸３６を基準として、支持用金具１５の垂直度及び水平度が調整される。この調整は従来のような基礎コンクリートの硬化前に支持用金具を取付けるものとは異なり、アンカー２６を用いて支持基盤１７に対して行なうため、極めて容易に調整することが可能となる。又、仮に支持用金具１５の打ち込み状態がまずければ、支持用金具１５を支持基盤１７及び基礎砕石１８から引き抜き、再度打ち込んで調整すれば良いため作業効率が極めて向上する。尚、この打ち込みにはハンマー等を用いて調整ボルト２５の球冠状突起体３３の部分を叩けば良いため、支持用金具１５の垂直度等を調整することは極めて容易となる。
【００４５】
支持用金具１５ａ，支持用金具１５ｂの打ち込み及び調整が終了すると、この状態でその（３）に示されているように基礎砕石１８上に基礎コンクリート１９を打設する。この時基礎コンクリート１９の上面が、図２に示すインサート２４のフランジ３１の上面に整列するように基礎コンクリート１９の表面を均せば良い。この時、支持用金具１５ａ，支持用金具１５ｂは既に調整され固定状態となっているため、基礎コンクリート１９の打設作業をより効率化する。
【００４６】
次に支持用金具１５の図３に示す調整ボルト２５のインサート２４に対する突出し長さを調整することによって、支持用金具１５の高さ調整を行う。支持用金具１５の高さ調整が終了すると、支持用金具１５の各々の球冠状突起体３３を基準として、基礎コンクリート１９の上に均しモルタル２０を布設し、これを敷き均すことによって支持用金具の取付けは終了する。そして、図１に示すように、支持用金具１５ａ，支持用金具１５ｂ及び均しモルタル２０の上にコンクリートブロック２２を吊り下ろし、その左右のずれを調整することによってコンクリートブロック２２の取付けが終了する。
【００４７】
図５はこの発明の第２の実施の形態による支持用金具の概略構成を示す断面図であって、先の第１の実施の形態による図３に対応するものである。
【００４８】
図を参照して、この実施の形態による支持用金具１５は内面に形成された雌ネジ４０が上下に貫通する中空柱上のインサート３８を中心として構成されている。尚、インサート３８としては一般のインサートの代わりに高ナットを用いても良い。
【００４９】
すなわち、この実施の形態によるインサート３８は、その軸方向に貫通するように雌ネジ４０が形成された筒状の胴部３９から構成されていれば良い。インサート３８の上方部に螺合接続する調整ボルト２５は先の実施の形態によるものと同一である。
【００５０】
一方、インサート３８の下方に接続されるアンカー２６は、その上端部に雄ネジ４２が形成された棒状を有しており、雄ネジ４２を介してインサート３８の下方部に螺合接続されている。尚、この実施の形態による支持用金具１５の取付け方法等は、先の実施の形態と同様であるためここでの説明は繰り返さない。
【００５１】
この実施の形態によればアンカー２６はインサート３８に対して螺合接続されているため、溶接等による接続とは異なり、アンカー２６の接続時に歪みを生じる虞れはない。又、アンカー２６の取替えが容易であるため、基礎砕石１８及び基礎コンクリート１９の厚さに応じて適切な長さのアンカー２６を選択し、これをインサート３８に取付けることが容易となるためより使い勝手が向上する。
【００５２】
図６はこの発明の第３の実施の形態による支持用金具１５の概略構造を示した分解斜視図である。
【００５３】
図を参照して、支持用金具１５を構成するインサート２４及びアンカー２６は先の第１の実施の形態によるものと同一である。しかしインサート２４に螺合接続する調整ボルト２５が若干先の実施の形態によるものとは異なっている。すなわち、調整ボルト２５の頭部３２の上面に形成されている球冠状突起体３３の上部には、その軸方向に所定長さの筒状の穴４４が形成されている。更に、調整ボルト２５に対して脱着自在に取付けられる水糸固定具４５が設けられている。
【００５４】
水糸固定具４５は、断面円形のリング状の取手４６と、取手４６の下面に接続され垂直下方に伸びる円柱形状の棒体４７が接続されている。棒体４７は調整ボルト２５の穴４４に対して上下に摺動自在に嵌合するような形状に設定されている。又、棒体４７の取手４６の近傍部分には、水糸４９がその内部を挿通可能となる大きさの貫通穴４８が形成されている。
【００５５】
これによって水糸４９を貫通穴４８に挿通した図のような状態で水糸固定具４５を調整ボルト２５に嵌合させると、棒体４７はその上端部まで穴４４内に嵌合されるため、水糸４９は、引き抜き力が加わっても移動することなく調整ボルト２５の球冠状突起体３３の頂部に固定されることになる。
【００５６】
この実施の形態による支持用金具によれば、支持用金具の取付時においても有用である。すなわち、まず２個の支持用金具を両端に設置して、その垂直度や水平度を調整する。そして、これらの支持用金具間を架け渡すように水糸を緊張状態に取り付ける。次にこれらの支持用金具の間であって水糸に沿うような位置に、別の支持用金具を新たに設置する。そして、間に位置する支持用金具の取付及び調整をこの水糸を基準にして行えば、そのために丁張り等を別途準備することなく間に位置する支持用金具を正確に順次設置することが可能になるからである。
【００５７】
尚、この考え方は、支持用金具を全数設置した後の各調整ボルトのレベル調整にも用いることができる。すなわち、調整ボルトの球冠状突起体の頂部から架け渡される水糸を利用することによって、全数の支持用金具の水平レベルを容易に調整することが可能となる。
【００５８】
図７は図６で示した支持用金具を用いて行うモルタルの敷き均し方法を説明するための概略工程図である。
【００５９】
図を参照して、先の第１の実施の形態による支持用金具の取付け方法を用いて、４個の支持用金具がその（１）に示されているように基礎コンクリート１９の上面に整列されるように取付けられた状態を想定する。この時、支持用金具すなわち水糸固定具４５ａ〜水糸固定具４５ｄの各々は、ほぼ矩形形状の四隅に配置されるものとする。そして水糸固定具４５ａと水糸固定具４５ｂとの間に、図６で示した要領で水糸４９ａを緊張状態に架け渡す。同様に水糸固定具４５ｃと水糸固定具４５ｄとの間にも水糸４９ｂを架け渡す。これによって水糸４９ａと水糸４９ｂとは、互いにほぼ平行で且つ基礎コンクリート１９の上面からほぼ同一高さに架け渡されることになる。
【００６０】
次にその（２）に示されているように水糸４９ａの外方側に沿うように適当量のモルタル５１ａを布設する。そしてモルタル５１ａを利用してその上に矩形柱形状の定規棒５２ａを水糸４９ａに平行に設置する。この時定規棒５２ａの上面が、隣接して架け渡されている水糸４９ａの高さに合致するように定規棒５２ａの取付け状態を調整する。この状態でモルタル５１ａが硬化すると、定規棒５２ａの取付状態が固定され、その上面位置は安定状態となる。
【００６１】
一方、水糸固定具４５ｃと水糸固定具４５ｄとに架け渡された水糸４９ｂに対しても同様に、その外方側にモルタル５１ｂを布設しその上に定規棒５２ｂを設置した後その上面を調整する。定規棒５２ａ，定規棒５２ｂの設置が終了すると、その（３）に示されているように、定規棒５２ａと定規棒５２ｂとの間のスペースであって、基礎コンクリート１９の上面上にモルタル５３を布設する。この時モルタル５３の布設時の厚さは、定規棒５２ａ及び定規棒５２ｂの各々の上面よりやや高くなるように調整する。
【００６２】
そして定規棒５２ａと定規棒５２ｂの上面との間に架け渡すように矩形柱形状の均し棒５４を載置する。そして均し棒５４を、定規棒５２ａと定規棒５２ｂの上面に接した状態で矢印に示す方向に移動させる。これによって定規棒５２ａ及び定規棒５２ｂの上面より上方に位置するモルタル５３の部分が均し棒５４によって掻き出されることによって敷き均され、所望の均一な厚さの均しモルタル２０が容易に形成されることになる。
【００６３】
このようにこの実施の形態によれば、取付けられた支持用金具を用いてモルタルの敷き均しが極めて容易に且つ正確にできるため、他の調整器具を必要とするものに比べて極めて効率的なモルタルの敷き均しが可能となる。
【００６４】
図８はこの発明の第４の実施の形態による支持用金具の構成を示した分解斜視図である。
【００６５】
図を参照して、この実施の形態による支持用金具１５は、調整ボルト２５に嵌合する水糸固定具４５の形状が図６に示す実施の形態によるものと異なっており、他の調整ボルト２５、インサート２４及びアンカー２６は同一であるため、ここでは水糸固定具４５についてのみ説明する。
【００６６】
調整ボルト２５の穴４４に勘合する棒体４７の基本的な形状は図６の実施の形態によるものと同一であるが、棒体４７の上端は円柱形状の錘体５６に接続されている。そして錘体５６の上面の対向する部分に逆Ｕ字形状の取手４６が接続されている。又、棒体４７には水糸４９を挿通するための貫通穴が設けられておらず、水糸４９の端部を棒体４７に巻き付けて結ぶことによってこれを係止している。
【００６７】
使用時には水糸４９を棒体４７に係止した状態で棒体４７を調整ボルト２５の穴４４に嵌合させる。この実施の形態にあっては、錘体５６が設けられているため、水糸固定具４５の調整ボルト２５に対する押圧力が大きくなるため、その嵌合状態がより安定する。尚、錘体５６は円柱形状としているがその下面側を棒体４７に対して先細りとなるような円錐形状にしておけば、棒体４７の下方端が水糸固定具４５の上方側からより目視し易くなるため使い勝手が更に向上する。
【００６８】
そして、この実施の形態による支持用金具によっても、先の第２の実施の形態と同様に水糸４９を利用することによって同様にモルタルの敷き均しを容易にすることが可能となる。
【００６９】
尚、上記の各実施の形態では、インサートの形状は特定形状としているが、上部に調整ボルトが螺合でき、下部にアンカーが接続できるものであれば、他のいずれの形状であっても良い。
【００７０】
又、上記の各実施の形態では、アンカーの形状を特定形状としているが、インサートに接続でき、支持基板に打ち込める形状であればどのような形状であっても良い。
【００７１】
更に、上記の各実施の形態では、アンカーは支持基盤に打ち込まれて固定されているが、基礎砕石が厚いような場合には、アンカーを支持基盤に打ち込まずに基礎砕石に貫入させた状態にして支持用金具を固定するようにしても良い。この場合、アンカーの長さは、基礎砕石に到達する長さ、すなわち、基礎コンクリートの厚さを少なくとも超える長さであれば良いことになる。
【００７２】
更に、上記の各実施の形態では、アンカーの下端は少なくとも基礎砕石の内部に到達するようにして支持用金具は取付けられているが、アンカーの下端に平板等を水平方向に取付けておき、基礎砕石の転圧後その上に平板等が接するように支持用金具を設置する。その後基礎コンクリートを打設することによって、支持用金具を固定するように構成することも可能である。
【００７３】
更に、上記の各実施の形態では、支持用金具の上面まで均しモルタルを布設しているが、これに代えて支持用金具の上にコンクリートブロックを設置後基礎コンクリートとの間のスペースにセメントミルク等のグラウト材を充填しても良い。
【００７４】
更に、上記の各実施の形態では、調整ボルトの頭部には球冠状突起体が形成されているが、これらは必ずしも必要なものではない。
【００７５】
更に、上記の第２の実施の形態では、インサートの内部の雌ネジが貫通状態で形成されているが、雌ネジはインサートの少なくとも両端部側にのみ形成されていても同様の効果を奏する。
【００７６】
更に、上記の第３の実施の形態では、定規棒及び均し棒はいずれも矩形柱形状としているが、これらは円形断面等他の断面の柱形状のものであっても良い。
【図面の簡単な説明】
【００７７】
【図１】この発明の第１の実施の形態による支持用金具の取付け状態を示した概略断面図である。
【図２】図１で示した支持用金具の構成を説明するための分解斜視図である。
【図３】図２で示した支持用金具を組立てた状態の概略断面図である。
【図４】図１で示した支持用金具の設置方法を示すための概略工程図である。
【図５】この発明の第２の実施の形態による支持用金具の構成を示すための概略断面図である。
【図６】この発明の第３の実施の形態による支持用金具の概略構成を示すための分解斜視図である。
【図７】図６で示した支持用金具を用いて行うモルタルの敷き均し方法を説明するための概略工程図である。
【図８】この発明の第４の実施の形態による支持用金具の概略構成を示すための分解斜視図である。
【図９】従来の支持用金具の取付け状態を示した概略断面図である。
【図１０】図９で示した従来の支持用金具の概略構成を示した断面図である。
【図１１】従来の支持用金具の取付け方法を説明するための概略工程図である。
【符号の説明】
【００７８】
１５…支持用金具
１７…支持基盤
１８…基礎砕石
１９…基礎コンクリート
２０…均しモルタル
２２…コンクリートブロック
２４，３８…インサート
２５…調整ボルト
２６…アンカー
２８，４０…雌ネジ
２９，４２…雄ネジ
３０…胴部
３２…頭部
３３…球冠状突起体
４４…穴
４５…水糸固定具
４７…棒体
４９…水糸
５２…定規棒
５３…モルタル
５４…均し棒
尚、各図中同一符号は同一又は相当部分を示す。
【図１】
2005105729.tif 000003
【図２】
2005105729.tif 000004
【図３】
2005105729.tif 000005
【図４】
2005105729.tif 000006
【図５】
2005105729.tif 000007
【図６】
2005105729.tif 000008
【図７】
2005105729.tif 000009
【図８】
2005105729.tif 000010
【図９】
2005105729.tif 000011
【図１０】
2005105729.tif 000012
【図１１】
2005105729.tif 000013